【手続補正書】
【提出日】平成29年12月1日(2017.12.1)
【手続補正１】
【補正対象書類名】明細書
【補正対象項目名】発明の名称
【補正方法】変更
【補正の内容】
【発明の名称】画像処理装置、その制御方法、プログラム
【手続補正２】
【補正対象書類名】明細書
【補正対象項目名】０００９
【補正方法】変更
【補正の内容】
【０００９】
上記目的を達成するために本発明は、無線ネットワークを介してモバイル端末と通信可能な画像処理装置であって、原稿を読み取る読取手段と、少なくとも送信機能とコピー機能を含む複数の機能の中から使用する機能を選択するための選択画面を操作部上に表示する表示制御手段と、前記無線ネットワークを介してモバイル端末から前記送信機能に関連する指示を受信する受信手段と、前記読取手段で原稿を読み取ることで得られた画像データに基づくデータを外部の宛先に送信する送信手段と、を有し、前記表示制御手段は、前記選択画面が前記操作部上に表示された状態で、前記受信手段が前記指示を受信したことに従って、前記操作部上に表示する画面を前記選択画面から所定の画面へ遷移させ、前記所定の画面が前記操作部上に表示された状態で、前記操作部を介した所定のユーザ操作を受け付けたことに従って、前記操作部上に表示する画面を、前記所定の画面から、前記送信機能で使用する送信宛先として、前記モバイル端末上の設定画面で設定された宛先が設定された送信設定画面へ遷移させ、前記送信手段は、前記送信設定画面が前記操作部上に表示された状態で、前記操作部を介して前記送信機能に関する処理を実行するユーザ操作を受け付けたことに従って、前記データを前記送信宛先へ送信することを特徴とする。
【手続補正３】
【補正対象書類名】特許請求の範囲
【補正対象項目名】全文
【補正方法】変更
【補正の内容】
【特許請求の範囲】
【請求項１】
無線ネットワークを介してモバイル端末と通信可能な画像処理装置であって、
原稿を読み取る読取手段と、
少なくとも送信機能とコピー機能を含む複数の機能の中から使用する機能を選択するための選択画面を操作部上に表示する表示制御手段と、
前記無線ネットワークを介してモバイル端末から前記送信機能に関連する指示を受信する受信手段と、
前記読取手段で原稿を読み取ることで得られた画像データに基づくデータを外部の宛先に送信する送信手段と、
を有し、
前記表示制御手段は、前記選択画面が前記操作部上に表示された状態で、前記受信手段が前記指示を受信したことに従って、前記操作部上に表示する画面を前記選択画面から所定の画面へ遷移させ、前記所定の画面が前記操作部上に表示された状態で、前記操作部を介した所定のユーザ操作を受け付けたことに従って、前記操作部上に表示する画面を、前記所定の画面から、前記送信機能で使用する送信宛先として、前記モバイル端末上の設定画面で設定された宛先が設定された送信設定画面へ遷移させ、
前記送信手段は、前記送信設定画面が前記操作部上に表示された状態で、前記操作部を介して前記送信機能に関する処理を実行するユーザ操作を受け付けたことに従って、前記データを前記送信宛先へ送信することを特徴とする画像処理装置。
【請求項２】
前記表示制御手段は、前記選択画面とは異なる画面が表示されている状態で、前記モバイル端末から前記指示を受信したことに従って、前記操作部上に表示する画面を前記所定の画面へ遷移することなく前記選択画面とは異なる画面を表示し続けることを特徴とする請求項１に記載の画像処理装置。
【請求項３】
前記表示制御手段は、前記選択画面とは異なる画面が表示されている状態で、前記モバイル端末から前記指示を受信した場合であっても、前記画像処理装置が所定の期間、ユーザ操作を受け付けていない状態であると判断した場合は、前記操作部上に表示される画面を前記所定の画面へ遷移させることを特徴とする請求項２に記載の画像処理装置。
【請求項４】
前記選択画面とは異なる画面は、コピー機能に関する画面であることを特徴とする請求項２又は３に記載の画像処理装置。
【請求項５】
前記モバイル端末から前記指示を受信した場合であって、尚且つ、前記操作部上に表示する画面を前記所定の画面へ遷移させない場合に、前記指示を送信したモバイル端末に対してエラーを通知する第１の通知手段を更に備えることを特徴とする請求項２乃至４のいずれか１項に記載の画像処理装置。
【請求項６】
ユーザ認証機能を使用するか否かを設定する設定手段を更に備え、
前記表示制御手段は、前記設定手段によりユーザ認証機能を使用すると設定されていることに従って、前記操作部上に表示されている画面に関わらず、前記モバイル端末から受信した指示に含まれる認証情報に基づいて、前記所定の画面に遷移するか否かの処理を異ならせることを特徴とする請求項１乃至５のいずれか１項に記載の画像処理装置。
【請求項７】
前記認証情報に対応するユーザと、前記画像処理装置にログイン中のユーザとが一致するか否かを判定する判定手段を更に備え、
前記表示制御手段は、前記設定手段によりユーザ認証機能を使用すると設定され尚且つ、前記判定手段によって前記認証情報に対応するユーザと前記画像処理装置にログイン中のユーザとが一致すると判定された場合に、前記指示を受信したことに従って、前記操作部上に表示する画面を前記所定の画面へ遷移させることを特徴とする請求項６に記載の画像処理装置。
【請求項８】
前記所定の画面には、前記送信設定画面に遷移するための表示アイテムが含まれており、前記所定のユーザ操作は、前記送信設定画面に遷移するための表示アイテムを選択するユーザ操作であることを特徴とする請求項１乃至７のいずれか１項に記載の画像処理装置。
【請求項９】
前記所定の画面には、前記指示に基づくデータ送信をキャンセルするための表示アイテムが含まれており、
前記データ送信をキャンセルするための表示アイテムを選択するユーザ操作が受け付けられたことに従って、前記指示を送信したモバイル端末に対して前記指示に基づくデータ送信がキャンセルされたことを通知する第２の通知手段を更に備えることを特徴とする請求項１乃至８のいずれか１項に記載の画像処理装置。
【請求項１０】
前記送信宛先はファクシミリ番号であり、前記送信手段は当該ファクシミリ番号に基づいてファクス装置にファクシミリデータを送信することを特徴とする請求項１乃至９のいずれか１項に記載の画像処理装置。
【請求項１１】
無線ネットワークを介してモバイル端末と通信可能な画像処理装置の制御方法であって、
読取部を介して原稿を読み取る読取工程と、
少なくとも送信機能とコピー機能を含む複数の機能の中から使用する機能を選択するための選択画面を操作部上に表示する表示制御工程と、
前記無線ネットワークを介してモバイル端末から前記送信機能に関連する指示を受信する受信工程と、
前記読取工程で原稿を読み取ることで得られた画像データに基づくデータを外部の宛先に送信する送信工程と、
を有し、
前記表示制御工程は、前記選択画面が前記操作部上に表示された状態で、前記受信工程により前記指示が受信されたことに従って、前記操作部上に表示する画面を前記選択画面から所定の画面へ遷移させ、前記所定の画面が前記操作部上に表示された状態で、前記操作部を介した所定のユーザ操作を受け付けたことに従って、前記操作部上に表示する画面を、前記所定の画面から、前記送信機能で使用する送信宛先として、前記モバイル端末上の設定画面で設定された宛先が設定された送信設定画面へ遷移させ、
前記送信工程は、前記送信設定画面が前記操作部上に表示された状態で、前記操作部を介して前記送信機能に関する処理を実行するユーザ操作を受け付けたことに従って、前記データを前記送信宛先へ送信することを特徴とする画像処理装置の制御方法。
【請求項１２】
請求項１１に記載の画像処理装置の制御方法をコンピュータに実行させるためのプログラム。